(57)【特許請求の範囲】
【請求項１】
投稿者が所有する端末へ、入力欄が設けられた入力フォームを送信する第一制御手段であり、
前記入力フォームが、前記投稿者のプロフィールを示すプロフィール情報が入力される入力フォームであり、５０００〜２００００文字以内で前記投稿者のプロフィール情報が入力されるプロフィール情報入力フォームおよび、前記投稿者の生い立ちを示すストーリー情報が入力される入力フォームであり、１つのフォームにつき１０００〜３０００文字以内で前記投稿者のストーリー情報が入力される複数のストーリー情報入力フォームを送信する第一制御手段と、
前記投稿者により前記プロフィール情報入力フォームの入力欄および前記ストーリ情報入力フォームの入力欄に対して入力され、前記端末から送信された前記プロフィール情報入力フォームの入力欄に入力されたデータおよび前記ストーリー情報入力フォームの入力欄に入力されたデータを受信し、当該プロフィール情報入力フォームの入力欄および当該ストーリー情報入力フォームの入力欄に入力されたデータを記憶手段に記憶させる第二制御手段と、
閲覧者が所有する端末からの閲覧要求を受信し、前記閲覧要求に応じて前記記憶手段に記憶された前記投稿者のプロフィール情報または前記ストーリー情報を前記閲覧者が所有する端末へ送信する第三制御手段と、
を備え、
前記複数のストーリー情報入力フォームは、それぞれがストーリー情報の第何話目であるかを示す情報を有し、当該第何話目であるかを示す情報に基づいて、複数のストーリー情報入力フォームの入力欄に入力されたストーリー情報が連結して一つのストーリーを形成する連載形式である信用・信頼獲得装置。
【請求項２】
前記複数のストーリー情報入力フォームは、それぞれがストーリー情報の起承転結のどの部分であるかを示す情報を有し、当該起承転結のどの部分であるかを示す情報に基づいて、複数のストーリー情報入力フォームに入力されたストーリー情報が連結して一つの起承転結のあるストーリーを形成する形式であり、
前記複数のストーリー情報入力フォームには、１００〜３００文字以内で前回のストーリー情報の内容の概要が入力されるあらすじ入力欄と、５０〜１５０文字以内で次回のストーリー情報の内容の概要が入力される予告入力欄と、
を含む請求項１に記載の信用・信頼獲得装置。
【請求項３】
前記第三制御手段は、前記投稿者のプロフィール情報または前記ストーリー情報の音声データを前記閲覧者が所有する端末へ送信する請求項１または２に記載の信用・信頼獲得装置。
【請求項４】
信用・信頼獲得装置が、投稿者が所有する端末へ、前記投稿者のプロフィールを示すプロフィール情報が入力される入力欄が設けられた入力フォームであり、５０００〜２００００文字以内で前記投稿者のプロフィール情報が入力されるプロフィール情報入力フォームおよび、前記投稿者の生い立ちを示すストーリー情報が入力される入力欄が設けられた入力フォームであり、１つのフォームにつき１０００〜３０００文字以内で前記投稿者のストーリー情報が入力される複数のストーリー情報入力フォームを送信すること、
信用・信頼獲得装置が、前記投稿者により前記プロフィール情報入力フォームの入力欄および前記ストーリ情報入力フォームの入力欄に対して入力され、前記端末から送信された前記プロフィール情報入力フォームの入力欄に入力されたデータおよび前記ストーリー情報入力フォームの入力欄に入力されたデータを受信し、当該プロフィール情報入力フォームの入力欄および当該ストーリー情報入力フォームの入力欄に入力されたデータを記憶手段に記憶させること、
信用・信頼獲得装置が、閲覧者が所有する端末からの閲覧要求を受信し、前記閲覧要求に応じて前記記憶手段に記憶された前記投稿者のプロフィール情報または前記ストーリー情報を前記閲覧者が所有する端末へ送信すること、
を含み、
前記複数のストーリー情報入力フォームは、それぞれがストーリー情報の第何話目であるかを示す情報を有し、当該第何話目であるかを示す情報に基づいて、複数のストーリー情報入力フォームの入力欄に入力されたストーリー情報が連結して一つのストーリーを形成する連載形式である信用・信頼獲得方法。
【請求項５】
投稿者が所有する端末へ、入力欄が設けられた入力フォームを送信する第一制御手段であり、
前記入力フォームが、前記投稿者のプロフィールを示すプロフィール情報が入力される入力フォームであり、５０００〜２００００文字以内で前記投稿者のプロフィール情報が入力されるプロフィール情報入力フォームおよび、前記投稿者の生い立ちを示すストーリー情報が入力される入力フォームであり、１つのフォームにつき１０００〜３０００文字以内で前記投稿者のストーリー情報が入力される複数のストーリー情報入力フォームを送信する第一制御手段と、
前記投稿者により前記プロフィール情報入力フォームの入力欄および前記ストーリ情報入力フォームの入力欄に対して入力され、前記端末から送信された前記プロフィール情報入力フォームの入力欄に入力されたデータおよび前記ストーリー情報入力フォームの入力欄に入力されたデータを受信し、当該プロフィール情報入力フォームの入力欄および当該ストーリー情報入力フォームの入力欄に入力されたデータを記憶手段に記憶させる第二制御手段と、
閲覧者が所有する端末からの閲覧要求を受信し、前記閲覧要求に応じて前記記憶手段に記憶された前記投稿者のプロフィール情報または前記ストーリー情報を前記閲覧者が所有する端末へ送信する第三制御手段と、
を備え、
前記複数のストーリー情報入力フォームは、それぞれがストーリー情報の第何話目であるかを示す情報を有し、当該第何話目であるかを示す情報に基づいて、複数のストーリー情報入力フォームの入力欄に入力されたストーリー情報が連結して一つのストーリーを形成する連載形式である信用・信頼獲得装置としてコンピュータを機能させる信用・信頼獲得処理プログラム。
【発明の詳細な説明】
【技術分野】
【０００１】
本発明は、プロフィールや生い立ちなど、個人１人１人が持つユニークな情報を投稿者から受け付け、当該情報を閲覧者に提供する信用・信頼獲得装置、信用・信頼獲得方法および信用・信頼獲得処理プログラムに関するものである。以下、「信用・信頼獲得装置」、「信用・信頼獲得方法」および「信用・信頼獲得処理プログラム」は、単に「情報処理装置」、「情報処理方法」および「情報処理プログラム」と称す。
【背景技術】
【０００２】
近年、終身雇用制度の崩壊や年金受給年齢の引き上げなどに伴い、組織や政府に依存することが難しくなり、個人で生き抜いていく力がより求められている。そのため、個人、つまり自分自身を対外的に売り出す力が求められている。
【０００３】
自分自身を売り出す方法として、例えば、自分の名前や肩書が書かれた名刺を第三者に渡すことで、当該第三者からの信用や信頼を獲得する方法がある。このような名刺に関する発明として、特許文献１には、広告主の個人名を含む名刺画像データと、属性情報と、付加情報とを関連付けて記憶する広告主情報記憶手段（ＤＢ）と、制御部とを有し、制御部は、ユーザ端末が属性情報を指定すると、属性情報に対応する複数の名刺画像データを検索し、ユーザ端末の表示画面上に表示させ、ユーザ端末が名刺画像データの１つに対する付加情報の取得要求を送信すると、ユーザ端末にユーザのメールアドレスの入力依頼を１回送信し、ユーザのメールアドレスを受信すると、対応する広告主の付加情報をユーザのメールアドレスを宛先とする電子メールに付加して送信し、ユーザのメールアドレスを広告主のメールアドレスを宛先とする電子メールに付加して送信する名刺情報提供システムが記載されている。
【先行技術文献】
【特許文献】
【０００４】
【特許文献１】特開２００６−１２７１５０号公報
【発明の概要】
【発明が解決しようとする課題】
【０００５】
しかし、特許文献１に係る発明が提供する情報や、一般的に受け渡しされている名刺に記載されている情報は、氏名の他に、会社名や、その会社での役職（部長、課長）などである。そのため、いくら自分自身（個人）に魅力やスキルがあったとしても、第三者からは会社名や役職で能力を判断され、信用や信頼の獲得が難しい場合がある。例えば、単に名刺を渡しても、知名度や過去の実績の差により、無名企業の会社員は大企業の会社員よりも、第三者から興味を持ってもらうことができない。
【０００６】
そこで、本発明は、会社名や役職などの看板に頼らずとも、個人が第三者からの信用や信頼を獲得することができる情報処理装置、情報処理方法および情報処理プログラムを提供する。
【課題を解決するための手段】
【０００７】
本発明の情報処理装置は、投稿者が所有する端末へ、投稿者のプロフィールを示すプロフィール情報が入力されるフォームであり、５０００〜２００００文字以内で投稿者のプロフィール情報が入力されるプロフィール情報入力フォームおよび、投稿者の生い立ちを示すストーリー情報が入力されるフォームであり、１つのフォームにつき１０００〜３０００文字以内で投稿者のストーリー情報が入力される複数のストーリー情報入力フォームを送信する第一制御手段と、投稿者により入力され、送信されたプロフィール情報入力フォームおよびストーリー情報入力フォームを受け付け、記憶手段に投稿者のプロフィール情報およびストーリー情報を記憶させる第二制御手段と、閲覧者が所有する端末からの閲覧要求を受信し、閲覧要求に応じて記憶手段に記憶された投稿者のプロフィール情報またはストーリー情報を閲覧者が所有する端末へ送信する第三制御手段と、を備える。
【０００８】
また、本発明の情報処理方法は、投稿者が所有する端末へ、投稿者のプロフィールを示すプロフィール情報が入力されるフォームであり、５０００〜２００００文字以内で投稿者のプロフィール情報が入力されるプロフィール情報入力フォームおよび、投稿者の生い立ちを示すストーリー情報が入力されるフォームであり、１つのフォームにつき１０００〜３０００文字以内で投稿者のストーリー情報が入力される複数のストーリー情報入力フォームを送信すること、投稿者により入力され、送信されたプロフィール情報入力フォームおよびストーリー情報入力フォームを受け付け、記憶手段に投稿者のプロフィール情報およびストーリー情報を記憶させること、閲覧者が所有する端末からの閲覧要求を受信し、閲覧要求に応じて記憶手段に記憶された投稿者のプロフィール情報またはストーリー情報を閲覧者が所有する端末へ送信すること、を含む。
【０００９】
これらの発明によれば、第一制御手段により、投稿者は、自身が所有する端末へ送信されたプロフィール情報入力フォームと複数のストーリー情報入力フォームに基づき、規定された文字数に応じて投稿者自身のプロフィール情報やストーリー情報を入力することができ、第二制御手段は、投稿者により入力され、送信されたプロフィール情報入力フォームおよびストーリー情報入力フォームを受け付け、記憶手段に投稿者のプロフィール情報およびストーリー情報を記憶させることができ、第三制御手段は、閲覧者が所有する端末からの閲覧要求を受信し、閲覧要求に応じて記憶手段に記憶された投稿者のプロフィール情報またはストーリー情報を閲覧者が所有する端末へ送信することができる。
【００１０】
本発明の情報処理プログラムは、投稿者が所有する端末へ、投稿者のプロフィールを示すプロフィール情報が入力されるフォームであり、５０００〜２００００文字以内で投稿者のプロフィール情報が入力されるプロフィール情報入力フォームおよび、投稿者の生い立ちを示すストーリー情報が入力されるフォームであり、１つのフォームにつき１０００〜３０００文字以内で投稿者のストーリー情報が入力される複数のストーリー情報入力フォームを送信する第一制御手段と、投稿者により入力され、送信されたプロフィール情報入力フォームおよびストーリー情報入力フォームを受け付け、記憶手段に投稿者のプロフィール情報およびストーリー情報を記憶させる第二制御手段と、閲覧者が所有する端末からの閲覧要求を受信し、閲覧要求に応じて記憶手段に記憶された投稿者のプロフィール情報またはストーリー情報を閲覧者が所有する端末へ送信する第三制御手段と、としてコンピュータを機能させる情報処理プログラムである。本発明の情報処理プログラムが提供する機能を有したコンピュータによれば、本発明の情報処理装置や情報処理方法と同様の作用効果を得ることができる。
【発明の効果】
【００１１】
（１）本発明の情報処理装置や情報処理方法によれば、上述した構成に基づいて、第一制御手段により、投稿者は、自身が所有する端末へ送信されたプロフィール情報入力フォームと複数のストーリー情報入力フォームに基づき、規定された文字数に応じて投稿者自身のプロフィール情報やストーリー情報を入力することができ、第二制御手段は、投稿者により入力され、送信されたプロフィール情報入力フォームおよびストーリー情報入力フォームを受け付け、記憶手段に投稿者のプロフィール情報およびストーリー情報を記憶させることができるため、投稿者の会社名や役職などに左右されず、所有する端末から第三者（閲覧者）からの信用や信頼を獲得することができる魅力のある情報を投稿することができる。また、第三制御手段は、閲覧者が所有する端末からの閲覧要求を受信し、閲覧要求に応じて記憶手段に記憶された投稿者のプロフィール情報またはストーリー情報を閲覧者が所有する端末へ送信することができるため、第三者（閲覧者）は、記憶手段に記憶されている投稿者のプロフィール情報またはストーリー情報を、いつでも好きなタイミングで閲覧することができ、当該閲覧した情報で感情が揺さぶられ、投稿者に対して魅力を感じたり、信用や信頼を持つようになる。
【００１２】
（２）また、本発明の情報処理プログラムが提供する機能を有したコンピュータによれば、本発明の情報処理装置や情報処理方法と同様の作用効果を得ることができる。
【図面の簡単な説明】
【００１３】
【図１】本発明の実施の形態に係る情報処理装置を示す概略構成図である。
【図２】本発明の実施の形態に係る情報処理装置の概略ブロック図である。
【図３】本発明の実施の形態に係る情報処理方法のシーケンス図である。
【発明を実施するための形態】
【００１４】
以下に本発明の実施の形態を詳細に説明するが、以下に記載する構成要件の説明は、本発明の実施態様の一例（代表例）であり、本発明はその要旨を変更しない限り、以下の内容に限定されない。
【００１５】
［情報処理装置］
図１は、発明の実施の形態に係る情報処理装置を示す概略構成図である。図１に示すように、情報処理装置１は、ＩＳＰ（Ｉｎｔｅｒｎｅｔ  Ｓｅｒｖｉｃｅ  Ｐｒｏｖｉｄｅｒ）が提供するネットワーク通信網Ｎを介して、端末Ｔと有線または無線で相互に通信可能である。
【００１６】
端末Ｔは、情報処理装置１へプロフィール情報やストーリー情報を投稿する投稿者が所有する端末（投稿者端末）や、情報処理装置１へ投稿された投稿者のプロフィール情報やストーリー情報を閲覧する閲覧者が所有する端末（閲覧者端末）である。端末Ｔは、例えば、パソコンやスマートフォンなどである。端末Ｔは、Ｇｏｏｇｌｅ  Ｃｈｒｏｍｅ（登録商標）やＦｉｒｅＦｏｘ（登録商標）など、Ｗｅｂブラウザ機能を備える。
【００１７】
プロフィール情報とは、投稿者個人のプロフィールを示す情報であり、例えば、氏名や身長、体重など公開できる範囲での個人情報が含まれる。その他に、個人年表（何歳の時、どのような人間だったかを示す年表）や、これまでの人生で起きたインパクトのある出来事なども含まれる。
【００１８】
ストーリー情報とは、投稿者の生い立ちを示すストーリー情報であり、例えば、起承転結のある成功談や失敗談、苦労体験など、投稿者個人の魅力を十分にアピールすることができるストーリーである。
【００１９】
図２は、本発明の実施の形態に係る情報処理装置の概略ブロック図である。図２に示すように、情報処理装置１は、通信手段１０、第一制御手段１１、第二制御手段１２、第三制御手段１３、記憶手段１４を備える。第一制御手段１１、第二制御手段１２、第三制御手段１３は、通信手段１０を介して端末Ｔと有線または無線で相互に通信する。また、記憶手段１４は、メモリやデータベースなどである。
【００２０】
[情報処理方法]
以下、各図面を参照して、本発明の情報処理方法の実施の形態を、本発明の情報処理装置の実施の形態と合わせて説明する。
【００２１】
[投稿]
図３は、本発明の実施の形態に係る情報処理方法のシーケンス図である。最初に、投稿者は所持する端末Ｔ（以下「投稿者端末Ｔ」と称す）から、情報処理装置１にアクセスする（ステップＳ１０１）。例えば、投稿者端末ＴのＷｅｂブラウザ機能を利用し、情報処理装置１のＵＲＬ（Ｕｎｉｆｏｒｍ  Ｒｅｓｏｕｒｃｅ  Ｌｏｃａｔｏｒ）を指定してアクセスする。
【００２２】
一方、投稿者端末Ｔからアクセスされた情報処理装置１は、第一制御手段１１により、当該投稿者端末Ｔに対してプロフィール情報入力フォームと、複数のストーリー情報入力フォームを送信する（ステップＳ１０２）。当該送信は、所定のＵＲＬにアクセスされたことや、投稿者端末Ｔから送信要求を受信したことなどを契機に送信される。
【００２３】
ここで、プロフィール情報入力フォームは、上述したような投稿者のプロフィール情報が、５０００〜２００００文字以内で入力されるフォームである。
また、ストーリー情報入力フォームは、上述したような投稿者のストーリー情報が、１つのフォームにつき１０００〜３０００文字以内で入力されるフォームである。つまり、ストーリー情報は、複数話（第１話〜最終話）に分けて入力される。
【００２４】
投稿者は、プロフィール情報入力フォームおよびストーリー情報入力フォームに自身の情報を入力し終わった後、これらのフォームを情報処理装置１へ送信する（ステップＳ１０３）。一方、情報処理装置１は、第二制御手段１２により、当該送信されたプロフィール情報入力フォームおよびストーリー情報入力フォームを受け付け、記憶手段１４に投稿者のプロフィール情報およびストーリー情報を記憶させる。
【００２５】
このように投稿者は、会社名や役職などに左右されず、所有する端末から第三者（閲覧者）からの信用や信頼を獲得することができる魅力のある自己アピール情報を投稿することができる。また、投稿者端末Ｔには、一定の文字数制限が設けられたプロフィール情報入力フォームと複数のストーリー情報入力フォームが送信されることにより、当該フォームに沿って誰でも、記入方法や記入形式に迷うことなく魅力のある自己アピール情報を入力および投稿することができる。
【００２６】
また、第二制御手段１２は、記憶手段１４に投稿者のプロフィール情報およびストーリー情報を記憶させると同時に、当該プロフィール情報およびストーリー情報を記憶させた場所を投稿者に通知する（ステップＳ１０４）。具体的には、記憶させたプロフィール情報やストーリー情報にアクセスすることができるＵＲＬを、投稿者端末Ｔに送信する。
このＵＲＬ先のサイトには、記憶させたプロフィール情報やストーリー情報の一覧が掲載されている。具体的には、クリックするとプロフィール情報が記入されたサイトへ飛ぶようなリンクや、クリックすると第１話、第２話・・とそれぞれのストーリー情報が記入されたサイトへ飛ぶようなリンクの一覧が掲載されている。
【００２７】
[閲覧]
投稿を終えた投稿者は、投稿者端末Ｔに送信された自身のプロフィール情報やストーリー情報にアクセスすることができるＵＲＬを名刺に記載し、異業種交流会や訪問営業の場などで第三者（閲覧者）に伝える。その他、ＳＮＳ（Ｓｏｃｉａｌ  Ｎｅｔｗｏｒｋｉｎｇ  Ｓｅｒｖｉｃｅ）やメールなどを利用して第三者（閲覧者）に伝えてもよい。
【００２８】
ＵＲＬを伝えられた第三者（閲覧者）は、自身が所持する端末Ｔ（以下「閲覧者端末Ｔ」と称す）から当該ＵＲＬを指定して、情報処理装置１へアクセスする（ステップＳ２０１）。当該ＵＲＬ先のサイトには、記憶されたプロフィール情報やストーリー情報の一覧が掲載されているため、第三者（閲覧者）は、閲覧者端末Ｔからの操作により、閲覧するプロフィール情報やストーリー情報を適宜選択することができる。
【００２９】
ここで、閲覧者がプロフィール情報を選択した場合（プロフィール情報が記入されたサイトへ飛ぶリンクをクリックした場合）、閲覧者端末Ｔから情報処理装置１へプロフィール情報の閲覧要求が送信される（ステップＳ２０２）。
【００３０】
当該プロフィール情報の閲覧要求を受信した情報処理装置１は、第三制御手段１３により、当該閲覧要求が送信された閲覧者端末Ｔへプロフィール情報を送信する（ステップＳ２０３）。よって、閲覧者は、閲覧者端末Ｔへ送信されたプロフィール情報を閲覧することができる。
【００３１】
また、プロフィール情報を閲覧して投稿者に興味を持った閲覧者は、続いて閲覧者端末Ｔからの操作により、閲覧するストーリー情報（第１話）を選択する（ステップＳ２０４）。そして、第三制御手段により、閲覧者端末Ｔにはストーリー情報（第１話）が送信される（ステップＳ２０５）。このような手順が繰り返されることで、閲覧者はストーリー情報（最終話）まで閲覧を進めることができる（ステップＳ２０６，Ｓ２０７）。
【００３２】
投稿者から、当該投稿者のプロフィール情報やストーリー情報にアクセスすることができるＵＲＬを伝えられた第三者（閲覧者）は、異業種交流会や訪問営業の場ではしっかりと相手（投稿者）のことを知る時間がない。そのため、無名企業の者や、肩書が無い者は、第三者（閲覧者）にその場で興味を持ってもらえない。しかし、本発明によれば、このように閲覧者はいつでも好きなタイミングで投稿者の情報を閲覧することができるため、第三者（閲覧者）がふと思い出した時にでも、投稿者のプロフィール情報やストーリー情報にアクセスしてもらうことができる。
【００３３】
さらに、本発明が提供するプロフィール情報やストーリー情報は、一般的に受け渡しされている名刺に記載されている氏名や役職などといった情報とは量や内容が異なる。そのため、名刺やリーフレットなどの紙媒体でこのような自身に関する情報を渡した場合、当該紙媒体自身の量や当該紙媒体に記載されている情報量の多さにより、第三者（閲覧者）からかえって悪い印象を抱かれる可能性がある。例えば、当該紙媒体がかさばったり、記載されている情報を読み終わるまで当該紙媒体を廃棄できないから煩わしいなどの悪い印象を、第三者（閲覧者）に抱かれる可能性がある。
そこで、本発明のように、情報処理装置１を介して自身のプロフィール情報やストーリー情報を伝えることにより、より効果的に相手（閲覧者）に自分（投稿者）のことを知ってもらうことができる。
【００３４】
[あらすじ、予告]
ここで、ストーリー情報入力フォームは、それぞれが連続して起承転結のある一つのストーリーを形成する連載形式であることが望ましい。そして、それぞれのストーリー情報入力フォームには、１００〜３００文字以内で前回のストーリー情報の内容の概要が示されるあらすじフォームと、５０〜１５０文字以内で次回のストーリー情報の内容の概要が示される予告フォームが含まれることが望ましい。
【００３５】
ストーリー情報入力フォームは、それぞれが連続して一つのストーリーを形成する連載形式であること、つまり、ストーリー情報を小分けにすることにより、閲覧者に時間的余裕がない場合でも、スキマ時間や電車・バスの移動時間などに当該小分けにされたストーリー情報を閲覧することができる。また、ストーリー情報入力フォームにあらすじフォームが含まれることにより、例えば閲覧者が第１話を閲覧した後に、しばらく期間が空いてから第２話を閲覧する場合でも、前回（第１話）の内容を思い出すことができる。さらに、ストーリー情報入力フォームに予告フォームが含まれることにより、閲覧者に次回のストーリー情報の内容についても興味を持たせることができ、ストーリー情報の話数が多い場合でも、飽きずに最後まで閲覧させることができる。
【００３６】
また、プロフィール情報を閲覧し終わった閲覧者をストーリー情報へ誘導するための案内文、例えば、案内文入力フォームを設けてもよい。本実施の形態におけるプロフィール情報やストーリー情報は、一般的に受け渡しされている名刺に記載されている情報とは量や内容が異なるが、このような案内文入力フォームを設けることにより、閲覧者が戸惑うことなくスムーズに投稿者の情報を伝えることができる。
【００３７】
なお、第三制御手段は、投稿者のプロフィール情報またはストーリー情報の音声データを閲覧者端末Ｔへ送信してもよい。これにより、例えば、閲覧者は手が塞がっている場合でも、投稿者の情報を視聴することができる。
【産業上の利用可能性】
【００３８】
以上のように、本発明は、社名や役職などの看板に頼らずとも、個人が第三者（閲覧者）からの信用や信頼を獲得することができる情報処理装置、情報処理方法および情報処理プログラムとして利用することができるため、産業上有用である。
【符号の説明】
【００３９】
１  情報処理装置
１０  通信手段
１１  第一制御手段
１２  第二制御手段
１３  第三制御手段
１４  記憶手段
Ｔ  端末
Ｎ  ネットワーク通信網
【要約】
【課題】会社名や役職などの看板に頼らずとも、個人が第三者からの信用や信頼を獲得することができる情報処理装置の提供。
【解決手段】投稿者が所有する端末Ｔへ、５０００〜２００００文字以内で投稿者のプロフィール情報が入力されるプロフィール情報入力フォームと、１つのフォームにつき１０００〜３０００文字以内で投稿者のストーリー情報が入力される複数のストーリー情報入力フォームを送信する第一制御手段１１と、投稿者からのプロフィール情報入力フォームおよびストーリー情報入力フォームを受け付け、当該内容を記憶手段１４に記憶させる第二制御手段１２と、閲覧者が所有する端末Ｔからの閲覧要求を受信し、閲覧要求に応じて記憶手段１４に記憶された投稿者のプロフィール情報またはストーリー情報を閲覧者が所有する端末Ｔへ送信する第三制御手段１３とを備える情報処理装置１。
【選択図】図１【図１】
0006914565.tif 000002
【図２】
0006914565.tif 000003
【図３】
0006914565.tif 000004